(57)【要約】  毛髪スタイリング装置２０において、発光ダイオード３３が、毛髪に光エネルギーを供給するよう構成され、該光エネルギーのエネルギーフルエンスは、０．５Ｊ／ｃｍ２と０．９Ｊ／ｃｍ２との間であり、更に好適には１Ｊ／ｃｍ２と５Ｊ／ｃｍ２との間である。発光ダイオード３３は、パルス駆動型であり、該光エネルギーのパルス幅は、少なくとも５０ｍｓである。該光エネルギーの出力波長は、４００ｎｍと９００ｎｍとの間である。該光エネルギーのパルス幅は、５０ｍｓと３００ｍｓとの間である。毛髪スタイリング装置２０は、毛髪の露光の間に迷光を遮断するよう構成された光遮蔽部３２を有しても良い。光遮蔽部３２の内側面は反射性であっても良く及び／又は放物型の形状を持っても良い。光遮蔽部３２は、該光エネルギーが供給されていない間に毛髪の束が毛髪スタイリング装置２０に配置され得る開位置と、該光エネルギーが毛髪に供給されている間に毛髪スタイリング装置２０から光が出ることを防止される閉位置と、の間で移動可能である。該毛髪スタイリング装置は、対向する第１ストレートニング面及び第２のストレートニング面を持つ毛髪ストレートナであっても良い、このとき少なくとも該第１のストレートニング面は、発光ダイオード３３を有し、少なくとも該第２のストレートニング面は、発光ダイオード３３からの光を反射するよう構成される。
2019509801.tif 000002
【特許請求の範囲】
【請求項１】
毛髪スタイリング装置であって、
毛髪に光エネルギーを供給するよう構成された発光ダイオードを有し、前記光エネルギーのエネルギーフルエンスは、０．５Ｊ／ｃｍ２と０．９Ｊ／ｃｍ２との間であり、更に好適には１Ｊ／ｃｍ２と５Ｊ／ｃｍ２との間であり、前記発光ダイオードは、パルス駆動型であり、前記光エネルギーのパルス幅は、少なくとも５０ｍｓである、毛髪スタイリング装置。
【請求項２】
前記光エネルギーの出力波長は、４００ｎｍと９００ｎｍとの間であり、好適には４００ｎｍと９００ｎｍとの間であり、更に好適には４５０ｎｍと５５０ｎｍとの間である、請求項１に記載の毛髪スタイリング装置。
【請求項３】
前記光エネルギーの出力波長は、８００ｎｍと１０００ｎｍとの間である、請求項１に記載の毛髪スタイリング装置。
【請求項４】
前記光エネルギーのパルス幅は、５０ｍｓと３００ｍｓとの間であり、好適には５０ｍｓと２００ｍｓとの間であり、更に好適には１００ｍｓと２００ｍｓとの間である、請求項１乃至３のいずれか一項に記載の毛髪スタイリング装置。
【請求項５】
毛髪の露光の間に迷光を遮断するよう構成された光遮蔽部を更に有する、請求項１乃至４のいずれか一項に記載の毛髪スタイリング装置。
【請求項６】
前記光遮蔽部の内側面は反射性である、請求項５に記載の毛髪スタイリング装置。
【請求項７】
前記光遮蔽部の内側面は放物型である、請求項５又は６に記載の毛髪スタイリング装置。
【請求項８】
前記光遮蔽部は、前記光エネルギーが供給されていない間に毛髪の束が前記毛髪スタイリング装置に配置され得る開位置と、前記光エネルギーが毛髪に供給されている間に前記毛髪スタイリング装置から光が出ることを防止される閉位置と、の間で移動可能である、請求項５乃至７のいずれか一項に記載の毛髪スタイリング装置。
【請求項９】
前記毛髪スタイリング装置は、対向する第１ストレートニング面及び第２のストレートニング面を持つ毛髪ストレートナであり、少なくとも前記第１のストレートニング面は、前記発光ダイオードを有し、少なくとも前記第２のストレートニング面は、前記発光ダイオードからの光を反射するよう構成された、請求項１乃至４のいずれか一項に記載の毛髪スタイリング装置。
【請求項１０】
毛髪スタイリング方法であって、
発光ダイオードにより毛髪に光エネルギーを供給するステップを有し、前記光エネルギーのエネルギーフルエンスは、０．５Ｊ／ｃｍ２と０．９Ｊ／ｃｍ２との間であり、更に好適には１Ｊ／ｃｍ２と５Ｊ／ｃｍ２との間であり、前記光エネルギーはパルス型であり、前記光エネルギーのパルス幅は、少なくとも５０ｍｓである、毛髪スタイリング方法。
【請求項１１】
前記光エネルギーの出力波長は、４００ｎｍと９００ｎｍとの間であり、好適には４００ｎｍと９００ｎｍとの間であり、更に好適には４５０ｎｍと５５０ｎｍとの間である、請求項１０に記載の毛髪スタイリング方法。
【請求項１２】
前記光エネルギーの出力波長は、８００ｎｍと１０００ｎｍとの間である、請求項１０に記載の毛髪スタイリング方法。
【請求項１３】
前記光エネルギーのパルス幅は、５０ｍｓと３００ｍｓとの間であり、好適には５０ｍｓと２００ｍｓとの間であり、更に好適には１００ｍｓと２００ｍｓとの間である、請求項１０乃至１２のいずれか一項に記載の毛髪スタイリング方法。
【発明の詳細な説明】
【技術分野】
【０００１】
本発明は、毛髪のクリンピング、カーリング、パーマがけ及びストレートニングを含む、毛髪スタイリングに関する。
【背景技術】
【０００２】
国際特許出願公開WO2009/074957は、処置装置によって発せられる、５×１０−１２秒以下の継続時間の光パルスに繊維をさらすことを有する、毛髪の角質性繊維を美容的に処置する方法を開示している。該パルスは、１０００ｎｍ乃至１６００ｎｍ、７００ｎｍ乃至９００ｎｍ、３５０ｎｍ乃至４５０ｎｍ、及び５００ｎｍ乃至８００ｎｍの範囲のいずれかにおける少なくとも１つの主波長を持っても良い。該処置装置は、レーザを有しても良い。効率、パルス継続時間、及び毛髪に応じて、エネルギー密度は、０．０１Ｊ／ｃｍ２乃至１０Ｊ／ｃｍ２の範囲で変化しても良い。該処置は、毛髪を脱色するための処置であり、毛髪が自然な色を持つこと、又は人工的に色付けされることが可能であり、脱色は、毛髪が染色されて異なる色となるよう、又は自然な色に戻されるよう、実行される。本発明の処置は、例えば形状、柔らかさ及び／又は光沢のような効果により、例えば角質を変形させる（一次、二次又は三次レベルでのタンパク質を再編成又は変形させる）ため、脱色以外の効果の目的で毛髪を処置するために利用されることもできる。
【発明の概要】
【発明が解決しようとする課題】
【０００３】
特に熱の印加による、毛髪の損傷は、消費者の大きな関心事である。それ故、毛髪のキューティクルの著しい加熱なく、毛髪をスタイリングすることが強く望まれる。
【０００４】
本発明の目的は、数あるなかでも、改善された毛髪のスタイリングを提供することにある。  本発明は、独立請求項により定義される。有利な実施例は、従属請求項において定義される。
【課題を解決するための手段】
【０００５】
本発明の実施例は、パルス駆動型の発光ダイオード（ＬＥＤ）を用いることによる、例えばカーリング（curling）、ストレートニング（straightening）のような光熱的な毛髪のスタイリングのためのシステム及び方法を特徴とする。光は、狭い範囲の波長内（４００ｎｍと９００ｎｍとの間、好適には４００ｎｍと６５０ｎｍとの間、更に好適には４５０ｎｍと５５０ｎｍとの間）で及び短い時間内（５０ｍｓと３００ｍｓとの間、好適には５０ｍｓと２００ｍｓとの間、例えば１００ｍｓと２００ｍｓとの間、又は５０ｍｓと１００ｍｓとの間）で、毛髪の皮質を選択的に加熱する。本発明によれば、毛髪の表面において測定される出力エネルギーフルエンスは、０．５乃至０．９Ｊ／ｃｍ２、好適には１乃至５Ｊ／ｃｍ２の範囲内である。このことは、キューティクルに対する熱による損傷が生じることを防ぎ、毛髪のバリア機能を保ち、毛髪における水分の加熱を防ぎ、毛髪の水分量を保つ。ＬＥＤユニットは小型であり、低い電圧及び比較的単純な電子的なドライバしか必要としないため、本発明の実施例は、小型で、潜在的に低コストで、安全なコードレス（電池式の）システムを特徴とする。
【０００６】
本発明のこれらの及び他の態様は、以下に説明される実施例を参照しながら説明され明らかとなるであろう。
【図面の簡単な説明】
【０００７】
【図１（Ａ）】本発明の実施例を示す。
【図１（Ａ）】本発明の実施例を示す。
【図２】図１の実施例の一部をより詳細に示す。
【発明を実施するための形態】
【０００８】
本発明の実施例は、ハンドヘルド型の毛髪スタイリング装置において、
毛髪に光エネルギーを与えるよう構成されたパルス駆動型発光ダイオード（ＬＥＤ）又はＬＥＤのアレイであって、
出力波長が、４００乃至９００ｎｍの範囲内であり、４００乃至６５０ｎｍの範囲内で好適な結果をもたらし、好適には４５０乃至５５０ｎｍの範囲内であり、
パルス幅が、５０乃至３００ｍｓの範囲内であり、好適には５０ｍｓと２００ｍｓとの間であり、例えば１００乃至２００ｍｓの範囲内、又は５０ｍｓと１００ｍｓとの間であり、
毛髪の表面において測定される出力エネルギーフルエンスが、０．５乃至０．９Ｊ／ｃｍ２、好適には１乃至５Ｊ／ｃｍ２の範囲内である、
ＬＥＤ又はＬＥＤのアレイと、
前記ＬＥＤを駆動するためのＬＥＤパルスドライバ回路と、
特に電圧、パルス継続時間及びパルスのデューティサイクルを含む電気的なパラメータを制御する、前記ＬＥＤパルスドライバを制御するための制御システムと、
前記ＬＥＤにより提供されるパルス光の照射の間、毛髪に接触し、例えば平面、円筒形のような予め設計された形状に、毛髪を保持するよう構成された、毛髪接触界面と、
毛髪の露光の間に迷光を遮断するよう構成された光遮蔽部と、
を有する毛髪スタイリング装置を特徴とする。
【０００９】
好適には４００ｎｍと９００ｎｍとの間、更に好適には４５０ｎｍと５５０ｎｍとの間の波長範囲は、皮質の選択的な加熱のために最適な波長範囲であると考えられる。しかしながら、８００ｎｍと１０００ｎｍとの間の範囲における光を出力する高輝度高効率ＬＥＤは、より効率の良いＬＥＤの使用法であり得る。斯かる長い波長においては、より短い波長を用いる場合よりも、メラニン吸収が比較的小さく、８００ｎｍと１０００ｎｍとの間の範囲の光を発する斯かるＬＥＤによるスタイリングは、高出力の近赤外ＬＥＤを用いるよりも、コスト効率が良いものとなり得る。
【００１０】
パルス幅は、特に短波長領域では問題となる、中出力ＬＥＤで必要とされるフルエンスを実現するため、１．５ｓ即ち１５００ｍｓにまで達しても良い。
【００１１】
毛髪の熱拡散時定数は、１５０ｍｓと２００ｍｓとの間になると考えられる。
【００１２】
実験において、茶色の毛髪の束が、３Ｊ／ｃｍ２のエネルギーフルエンス、１００ｍｓのパルス幅を持つ、６５０ｎｍのＬＥＤの１３２個のユニットのアレイに対して、金属棒（直径１５ｍｍ）に巻き付けられた。このことは、明確なカーリングの効果に帰着した。
【００１３】
図１Ａ及び１Ｂは、発光ダイオード（ＬＥＤ）３３のアレイを内部に備えた基本的に円筒形の露光ユニット２６と、螺旋形の毛髪ガイドリブ２５と、同様に螺旋形の活動光学遮蔽部３２と、ハンドル部２８と、を有するハンドヘルド型の毛髪カーラ（curler）２０を示す。
【００１４】
使用の間、第１のステップは、毛髪の位置決め（図１Ａ）であり、このとき毛髪の束２２の端部が最初に、クランプ２３によりしっかりと保持され、該毛髪の束の残りの部分が、毛髪ガイダンスリブ２５によりガイドされた露光ユニット２６のまわりに巻き付けられるか又はコイル状に巻かれる。
【００１５】
毛髪の束が適所に位置決めされると、イネーブルボタン３４が押下されても良く、毛髪カーラ２０が最初に、光にさらされるべき毛髪の束の領域及び露光ユニット２６が視界から遮られるような位置まで滑動するよう、光遮蔽部３２を制御し、次いでＬＥＤにより提供される少なくとも１つの光パルスに対する露光が開始する。図１Ｂは、光遮蔽部３２が閉じているカーラ２０を示す。
【００１６】
露光の後、光遮蔽部３２は、開位置へと滑動して戻り、クランプ２３を外すことにより、カーリングされた毛髪の束２２が、該毛髪カーラから自由に取り除かれることができる。
【００１７】
図２に示されるように、露光ユニット２６は、ＬＥＤ３３のアレイにより提供される光の最大限の透過を可能とする、毛髪接触窓３１を有する。該ＬＥＤは、ヒートシンク３５により受動的に冷却されても良い。滑動する光遮蔽部３２は、例えば内側面が反射性となり放物型となるよう構成することにより、毛髪の束から逃げる光の最大限の再利用を提供するよう構成される。
【００１８】
代替の実施例は、例えば透過光及び／又は反射光のような光を感知して、毛髪のカーリングのために最適化された光の供給のための電気的なパラメータを設定するよう制御にフィードバックを提供するよう、滑動する光遮蔽部の内側面に配置された、又はＬＥＤのアレイに整合された、例えばＬＥＤ光センサのような、光学的なフィードバックシステムを含んでも良い。代替の実施例はまた、処置設定を適合させるための温度及び時間センサを含んでも良い。
【００１９】
本発明の他の実施例は、２つの面の間に毛髪をクランプするためのクランプ機構であって、第１の面がＬＥＤアレイを有し、第２の面が反射性である、クランプ機構を有する、ＬＥＤベースの毛髪ストレートニング装置により形成される。当該実施例の一実装においては、該クランプの両面がＬＥＤアレイを有し、他方の面からの光を反射させても良い。
【００２０】
上述の実施例は本発明を限定するものではなく説明するものであって、当業者は添付する請求項の範囲から逸脱することなく多くの代替実施例を設計することが可能であろうことは留意されるべきである。請求項において、括弧に挟まれたいずれの参照記号も、請求の範囲を限定するものとして解釈されるべきではない。「有する（comprise）」なる語は、請求項に記載されたもの以外の要素又はステップの存在を除外するものではない。要素に先行する冠詞「１つの（a又はan）」は、複数の斯かる要素の存在を除外するものではなく、従ってＬＥＤアレイの使用は、請求項によりカバーされる。幾つかの手段を列記した装置請求項において、これら手段の幾つかは同一のハードウェアのアイテムによって実施化されても良い。特定の手段が相互に異なる従属請求項に列挙されているという単なる事実は、これら手段の組み合わせが有利に利用されることができないことを示すものではない。
【図１Ａ】
2019509801.tif 000003
【図１Ｂ】
2019509801.tif 000004
【図２】
2019509801.tif 000005
【国際調査報告】
2019509801.tif 000006
2019509801.tif 000007